(57)【特許請求の範囲】
【請求項１】
系統と直流電源のそれぞれの電源状態を検出する電源検出部と、
前記直流電源から出力される直流電力を交流電力に変換して出力する電力変換部と、
第１の宅内負荷と第２の宅内負荷との少なくとも一方に前記交流電力を供給するように、前記交流電力の供給先を切り替える電力切替部と、
を備える電力供給システムであって、
前記電力供給システムには、定置蓄電ユニットと、太陽光パワーコンディショナと、電気自動車に搭載されるバッテリとが、前記直流電源として接続され、
前記電源検出部は、
前記系統の電源状態を検出する交流電源検出部と、
前記定置蓄電ユニットの電源状態を検出する第１の直流電源検出部と、
前記太陽光パワーコンディショナの電源状態を検出する第２の直流電源検出部と、
前記バッテリの電源状態を検出する第３の直流電源検出部と、
を備え、
前記電力切替部は、
前記交流電源検出部で検出された前記系統の電源状態に基づき前記系統の出力の有無を判定し、
前記系統の出力が無いと判定したときには、前記第３の直流電源検出部で検出された前記バッテリの電源状態に基づき前記電力供給システムへの前記バッテリの接続の有無を判定し、
前記電力供給システムへ前記バッテリが接続されていないと判定したときには、前記第１の直流電源検出部及び前記第２の直流電源検出部のそれぞれで検出された電源状態に基づき、前記電力供給システムへの前記定置蓄電ユニットの接続の有無を判定すると共に、前記太陽光パワーコンディショナの出力の有無を判定し、
前記電力供給システムへ前記バッテリが接続されていないときに、前記電力供給システムへ前記定置蓄電ユニットが接続されておらず、かつ、前記太陽光パワーコンディショナの出力が無いと判定したときには、前記第１の宅内負荷と前記第２の宅内負荷の双方に前記交流電力を供給しないように動作し、
前記電力供給システムへ前記バッテリが接続されていないときに、前記電力供給システムへ前記定置蓄電ユニットが接続されていると判定し、又は前記太陽光パワーコンディショナの出力が有ると判定したときには、前記定置蓄電ユニットのＳＯＣが第１設定値以上であるか否かと、前記太陽光パワーコンディショナの発電量が第２設定値以上であるか否かを判定し、前記定置蓄電ユニットのＳＯＣが前記第１設定値以上である場合または前記太陽光パワーコンディショナの発電量が前記第２設定値以上である場合は、前記第１の宅内負荷と前記第２の宅内負荷の双方に前記交流電力を供給し、前記定置蓄電ユニットのＳＯＣが前記第１設定値未満であってかつ前記太陽光パワーコンディショナの発電量が前記第２設定値未満である場合は、前記第１の宅内負荷のみに前記交流電力を供給するように、前記交流電力の供給先を切り替え、
前記電力供給システムへ前記バッテリが接続されていると判定したときには、前記第１の直流電源検出部及び前記第２の直流電源検出部のそれぞれで検出された電源状態に基づき、前記電力供給システムへの前記定置蓄電ユニットの接続の有無を判定すると共に、前記太陽光パワーコンディショナの出力の有無を判定し、
前記電力供給システムへ前記バッテリが接続されているときに、前記電力供給システムへ前記定置蓄電ユニットが接続されていると判定し、又は前記太陽光パワーコンディショナの出力が有ると判定したときには、前記定置蓄電ユニットのＳＯＣ及び前記バッテリのＳＯＣから算出される電力量の総和が第３設定値以上であるか否かと、前記太陽光パワーコンディショナの発電量が前記第２設定値以上であるか否かを判定し、前記総和が前記第３設定値以上である場合または前記太陽光パワーコンディショナの発電量が前記第２設定値以上である場合は、前記第１の宅内負荷と前記第２の宅内負荷の双方に前記交流電力を供給し、前記総和が前記第３設定値未満であってかつ前記太陽光パワーコンディショナの発電量が前記第２設定値未満である場合は、前記第１の宅内負荷のみに前記交流電力を供給するように、前記交流電力の供給先を切り替え、
前記電力供給システムへ前記バッテリが接続されているときに、前記電力供給システムへ前記定置蓄電ユニットが接続されておらず、かつ、前記太陽光パワーコンディショナの出力が無いと判定したときには、前記バッテリのＳＯＣが第４設定値以上であるか否かを判定し、前記バッテリのＳＯＣが前記第４設定値以上である場合は、前記第１の宅内負荷と前記第２の宅内負荷の双方に前記交流電力を供給し、前記バッテリのＳＯＣが前記第４設定値未満である場合は、前記第１の宅内負荷のみに前記交流電力を供給するように、前記交流電力の供給先を切り替える電力供給システム。
【請求項２】
屋内に設置され、前記第１の宅内負荷及び前記第２の宅内負荷のそれぞれに供給可能な電力量が数値で表示される表示部を備える請求項１に記載の電力供給システム。
【発明の詳細な説明】
【技術分野】
【０００１】
本発明は、外部電源から供給される電力を宅内負荷へ供給する電力供給システムに関する。
【背景技術】
【０００２】
特許文献１には、発電装置が発電した電力を特定の電気機器に優先して供給するための配電システムが開示される。特許文献１の配電システムは、太陽電池、蓄電池、双方向パワーコンディショナおよび負荷を備えると共に、商用電源に接続されている。負荷は第１種負荷と第２種負荷を含み、第１種負荷と第２種負荷は交流電力で駆動する交流駆動型の電気機器である。第１種負荷は、商用電源が停電して電力供給が停止した場合であっても駆動させるべき電気機器である。
【０００３】
特許文献１の配電システムは、商用電源が停電か通電かを判断し、停電時には、第１種負荷に対して継続的に電力を供給するため、双方向パワーコンディショナと第２種負荷との電気的な接続を解除する。
【先行技術文献】
【特許文献】
【０００４】
【特許文献１】特開２０１３−１８３６１２号公報
【発明の概要】
【発明が解決しようとする課題】
【０００５】
しかし特許文献１の配電システムは、停電時において直流電源の状態に応じた電力供給先の切替が考慮されていない。そのため停電時には直流電源の発電量または充電状態を示す値（Ｓｔａｔｅ  Ｏｆ  Ｃｈａｒｇｅ：ＳＯＣ）に係わらず第２種負荷への電力供給が行われず、ユーザの利便性を損なう虞があるという課題があった。
【０００６】
本発明は、上記に鑑みてなされたものであって、ユーザの利便性の向上を図ることができる電力供給システムを得ることを目的とする。
【課題を解決するための手段】
【０００７】
上述した課題を解決し、目的を達成するために、本発明に係る電力供給システムは、系統と直流電源のそれぞれの電源状態を検出する電源検出部と、直流電源から出力される直流電力を交流電力に変換して出力する電力変換部とを備える。本発明に係る電力供給システムは、第１の宅内負荷と第２の宅内負荷との少なくとも一方に交流電力を供給するように、交流電力の供給先を切り替える電力切替部とを備える。電力供給システムには、定置蓄電ユニットと、太陽光パワーコンディショナと、電気自動車に搭載されるバッテリとが、直流電源として接続される。電源検出部は、系統の電源状態を検出する交流電源検出部と、定置蓄電ユニットの電源状態を検出する第１の直流電源検出部と、太陽光パワーコンディショナの電源状態を検出する第２の直流電源検出部と、バッテリの電源状態を検出する第３の直流電源検出部と、を備える。本発明に係る電力供給システムの電力切替部は、交流電源検出部で検出された系統の電源状態に基づき系統の出力の有無を判定し、系統の出力が無いと判定したときには、第３の直流電源検出部で検出されたバッテリの電源状態に基づき電力供給システムへのバッテリの接続の有無を判定し、電力供給システムへバッテリが接続されていないと判定したときには、第１の直流電源検出部及び第２の直流電源検出部のそれぞれで検出された電源状態に基づき、電力供給システムへの定置蓄電ユニットの接続の有無を判定すると共に、太陽光パワーコンディショナの出力の有無を判定し、電力供給システムへバッテリが接続されていないときに、電力供給システムへ定置蓄電ユニットが接続されておらず、かつ、太陽光パワーコンディショナの出力が無いと判定したときには、第１の宅内負荷と第２の宅内負荷の双方に交流電力を供給しないように動作し、電力供給システムへバッテリが接続されていないときに、電力供給システムへ定置蓄電ユニットが接続されていると判定し、又は太陽光パワーコンディショナの出力が有ると判定したときには、定置蓄電ユニットのＳＯＣが第１設定値以上であるか否かと、太陽光パワーコンディショナの発電量が第２設定値以上であるか否かを判定し、定置蓄電ユニットのＳＯＣが第１設定値以上である場合または太陽光パワーコンディショナの発電量が第２設定値以上である場合は、第１の宅内負荷と第２の宅内負荷の双方に交流電力を供給し、定置蓄電ユニットのＳＯＣが第１設定値未満であってかつ太陽光パワーコンディショナの発電量が第２設定値未満である場合は、第１の宅内負荷のみに交流電力を供給するように、交流電力の供給先を切り替え、電力供給システムへバッテリが接続されていると判定したときには、第１の直流電源検出部及び第２の直流電源検出部のそれぞれで検出された電源状態に基づき、電力供給システムへの定置蓄電ユニットの接続の有無を判定すると共に、太陽光パワーコンディショナの出力の有無を判定し、電力供給システムへバッテリが接続されているときに、電力供給システムへ定置蓄電ユニットが接続されていると判定し、又は太陽光パワーコンディショナの出力が有ると判定したときには、定置蓄電ユニットのＳＯＣ及びバッテリのＳＯＣから算出される電力量の総和が第３設定値以上であるか否かと、太陽光パワーコンディショナの発電量が第２設定値以上であるか否かを判定し、総和が第３設定値以上である場合または太陽光パワーコンディショナの発電量が第２設定値以上である場合は、第１の宅内負荷と第２の宅内負荷の双方に交流電力を供給し、総和が第３設定値未満であってかつ太陽光パワーコンディショナの発電量が第２設定値未満である場合は、第１の宅内負荷のみに交流電力を供給するように、交流電力の供給先を切り替え、電力供給システムへバッテリが接続されているときに、電力供給システムへ定置蓄電ユニットが接続されておらず、かつ、太陽光パワーコンディショナの出力が無いと判定したときには、バッテリのＳＯＣが第４設定値以上であるか否かを判定し、バッテリのＳＯＣが第４設定値以上である場合は、第１の宅内負荷と第２の宅内負荷の双方に交流電力を供給し、バッテリのＳＯＣが第４設定値未満である場合は、第１の宅内負荷のみに交流電力を供給するように、交流電力の供給先を切り替える。
【発明の効果】
【０００８】
本発明によれば、ユーザの利便性の向上を図ることができるという効果を奏する。
【図面の簡単な説明】
【０００９】
【図１】本発明の実施の形態１に係る電力供給システムの構成図
【図２】本発明の実施の形態１に係る電力供給システムの動作を示すフローチャート
【図３】本発明の実施の形態２に係る電力供給システムの構成図
【発明を実施するための形態】
【００１０】
以下に、本発明の実施の形態に係る電力供給システムを図面に基づいて詳細に説明する。なお、この実施の形態によりこの発明が限定されるものではない。
【００１１】
実施の形態１．
図１は本発明の実施の形態１に係る電力供給システムの構成図である。電力供給システム１００には外部電源が接続され、外部電源は系統電源２００と直流電源３００に分けられる。
【００１２】
直流電源３００は、定置設置型のリチウムイオン蓄電池である定置蓄電ユニット３０１と、太陽光パワーコンディショナ３０２と、電気自動車（Ｅｌｅｃｔｒｉｃ  Ｖｅｈｉｃｌｅ：ＥＶ）に搭載されるバッテリ３０３である。
【００１３】
以下では、系統電源２００を単に「系統」と称する場合がある。また定置蓄電ユニット３０１を単に「ＬｉＢ」（Ｌｉｔｈｉｕｍ  ｉｏｎ  Ｂａｔｔｅｒｙ）と称し、太陽光パワーコンディショナ３０２を単に「ＰＶ」（ＰｈｏｔｏＶｏｌｔａｉｃ）と称し、バッテリ３０３を単に「ＥＶ」と称する場合がある。
【００１４】
電力供給システム１００は、系統、ＬｉＢ、ＰＶおよびＥＶの電源状態を検出する電源検出部１と、ＬｉＢ、ＰＶおよびＥＶの少なくとも１つから供給される直流電力を交流電力に変換して出力する電力変換部３とを備える。
【００１５】
系統の場合、電源状態は系統出力の有無を示す。ＰＶの場合、電源状態はＰＶの発電量を示す。ＬｉＢおよびＥＶの場合、電源状態は、ＬｉＢおよびＥＶのそれぞれの接続の有無を示し、またＬｉＢおよびＥＶのそれぞれの出力電圧値、出力電力量、または出力電圧値から換算されるＳＯＣを示す。
【００１６】
また電力供給システム１００は、第１の宅内負荷１０と第２の宅内負荷１１との少なくとも一方に交流電力を供給するように、電力変換部３から出力される交流電力の供給先を切り替える電力切替部６と、整流部７と制御電源生成部８とを備える。
【００１７】
第１の宅内負荷１０は、冷蔵庫、照明、または調理機器といったＡＣ（Ａｌｔｅｒｎａｔｉｎｇ  Ｃｕｒｒｅｎｔ）１００Ｖで駆動する機器であり、停電時も常時通電の必要な機器である。
【００１８】
第２の宅内負荷１１は、電話、テレビ、またはオーディオといったＡＣ１００Ｖで駆動する機器であり、停電時に電力が供給されなくても第１の宅内負荷１０ほど生活面で不足が生じない機器である。
【００１９】
電源検出部１は、系統出力の有無を検出するための交流電源検出部２と、ＬｉＢの電源状態を検出する第１の直流電源検出部２１と、ＰＶの電源状態を検出する第２の直流電源検出部２２と、ＥＶの電源状態を検出する第３の直流電源検出部２３とを備える。
【００２０】
電力変換部３は、第１の電力変換部３１、第２の電力変換部３２および第３の電力変換部３３を備える。第１の電力変換部３１は、ＬｉＢから出力される直流電力を単相３線式の２００Ｖの交流電力に変換するインバータである。第２の電力変換部３２は、ＰＶから出力される直流電力を単相３線式の２００Ｖの交流電力に変換するインバータである。第３の電力変換部３３は、ＥＶから出力される直流電力を単相３線式の２００Ｖの交流電力に変換するインバータである。
【００２１】
整流部７は、系統出力または第１の電力変換部３１の出力である交流電力を整流して出力する。制御電源生成部８は、整流部７から出力される直流電力により、電力供給システム１００内の制御負荷９と電力切替部６内の制御部６６へ供給するための制御電源を生成する。
【００２２】
電力切替部６は、交流電源検出部２で検出された系統出力の状態と、第１から第３の直流電源検出部２１，２２，２３の各々で検出された電源状態とに応じて、第１の宅内負荷１０と第２の宅内負荷１１への電力供給先を切替え可能に構成されている。
【００２３】
以下、電力切替部６の構成を具体的に説明する。
【００２４】
電力切替部６は、第１の開閉部６１、第２の開閉部６２、第３の開閉部６３、第４の開閉部６４、第５の開閉部６５および制御部６６を備える。
【００２５】
第１の開閉部６１は、一端が交流電源検出部２に接続され他端が第１の宅内負荷１０に接続される。
【００２６】
第２の開閉部６２は、一端が第１の電力変換部３１に接続され、他端が第１の宅内負荷１０に接続される。
【００２７】
第３の開閉部６３は、一端が第２の電力変換部３２に接続され、他端が第１の宅内負荷１０に接続される。
【００２８】
第４の開閉部６４は、一端が第３の電力変換部３３に接続され、他端が第１の宅内負荷１０に接続される。
【００２９】
第５の開閉部６５は、一端が第１の宅内負荷１０、第１の開閉部６１、第２の開閉部６２、第３の開閉部６３および第４の開閉部６４に接続される。また第５の開閉部６５は、他端が第２の宅内負荷１１に接続される。
【００３０】
制御部６６は、交流電源検出部２で検出された系統出力の状態と、第１から第３の直流電源検出部２１，２２，２３の各々で検出された電源状態とに応じて、第１の開閉部６１から第５の開閉部６５を制御することにより、第１の宅内負荷１０と第２の宅内負荷１１への電力供給先を切替える。
【００３１】
電力切替部６の出力側には単相３線の電圧線が接続される。第１の宅内負荷１０は、ユーザにより、単相３線の電圧線の内、第１の電圧線と中性線に接続される。第２の宅内負荷１１は、ユーザにより、単相３線の電圧線の内、第２の電圧線と中性線に接続される。
【００３２】
この構成により、系統から出力される電力と、第１から第３の電力変換部３１，３２，３３の各々から出力される電力は、第１の電圧線と中性線によりＡＣ１００Ｖの交流電力として第１の宅内負荷１０に供給され、第２の電圧線と中性線によりＡＣ１００Ｖの交流電力として第２の宅内負荷１１に供給される。
【００３３】
ここで制御部６６と制御負荷９には、常時の電源供給が必要となる。非停電時は系統から出力される電力により制御電源が生成され、制御電源が制御部６６と制御負荷９へ供給される。
【００３４】
一方、停電時は、ＬｉＢの電圧が設定値より高い場合、ＬｉＢから出力される電力により制御電源が生成される。この制御電源が制御部６６と制御負荷９へ供給される。
【００３５】
また停電時は、ＬｉＢの電圧が設定値より低い場合、図示しない内蔵電池、例えば鉛蓄電池から出力される直流電力が、制御電源として制御部６６と制御負荷９へ供給される。
【００３６】
なお実施の形態１では、ＬｉＢを常時の電源供給が必要な制御部６６と制御負荷９への電源供給元としている。
【００３７】
以下、図２を用いて実施の形態１の電力供給システム１００の動作を説明する。図２は本発明の実施の形態１に係る電力供給システムの動作を示すフローチャートである。
【００３８】
少なくとも、図示しない内蔵電池から出力される直流電力により起動している制御部６６は、交流電源検出部２で検出された電源状態により、系統出力の有無を判定する（Ｓ１）。
【００３９】
系統出力が有るとき（Ｓ１：Ｙ）、制御部６６は、第１の開閉部６１と第５の開閉部６５を共にオンにする。これにより第１の宅内負荷１０と第２の宅内負荷１１に系統の電力が供給される（Ｓ２）。
【００４０】
停電時、すなわち系統出力が無いとき（Ｓ１：Ｎ）、制御部６６は、第３の直流電源検出部２３で検出された電源状態により、ＥＶ接続の有無を判定する（Ｓ３）。
【００４１】
ＥＶ接続が無いとき（Ｓ３：Ｎ）、制御部６６は、第１の直流電源検出部２１および第２の直流電源検出部２２で検出された電源状態により、ＬｉＢ接続の有無またはＰＶ発電の有無を判定する（Ｓ４）。
【００４２】
ＬｉＢ接続無し、かつ、ＰＶ発電無しの場合（Ｓ４：Ｎ）、制御部６６は、第１の宅内負荷１０および第２の宅内負荷１１への電力供給が不可であると判断し、第１の開閉部６１から第５の開閉部６５のそれぞれをオフにする。これにより第１の宅内負荷１０と第２の宅内負荷１１の何れにも電力供給が行われない（Ｓ５）。
【００４３】
ＬｉＢ接続有り、またはＰＶ発電有りの場合（Ｓ４：Ｙ）、制御部６６は、ＬｉＢのＳＯＣが設定値Ｘ１以上であるか、ＰＶの発電量が設定値Ｙ１以上であるかを判定する（Ｓ６）。設定値Ｘ１は例えば６０％、設定値Ｙ１は例えば５．０ｋＷｈである。
【００４４】
ＬｉＢのＳＯＣが設定値Ｘ１以上であり、またはＰＶの発電量が設定値Ｙ１以上である場合（Ｓ６：Ｙ）、制御部６６は、第２の開閉部６２、第３の開閉部６３および第５の開閉部６５を制御し、第１の宅内負荷１０と第２の宅内負荷１１に電力供給を行う（Ｓ７）。
【００４５】
具体的には、ＬｉＢのＳＯＣが設定値Ｘ１以上である場合、第２の開閉部６２および第５の開閉部６５がオンされる。また、ＰＶの発電量が設定値Ｙ１以上である場合、第３の開閉部６３および第５の開閉部６５がオンされる。これにより、第１の電圧線と中性線によりＡＣ１００Ｖの電力が第１の宅内負荷１０に供給され、第２の電圧線と中性線によりＡＣ１００Ｖの電力が第２の宅内負荷１１に供給される。
【００４６】
Ｓ６において、ＬｉＢのＳＯＣが設定値Ｘ１未満であり、またはＰＶの発電量が設定値Ｙ１未満である場合（Ｓ６：Ｎ）、制御部６６は、第２の開閉部６２、第３の開閉部６３、および第５の開閉部６５を制御し、第１の宅内負荷１０のみに電力供給を行う（Ｓ８）
【００４７】
具体的には、ＬｉＢのＳＯＣが設定値Ｘ１未満である場合、制御部６６は、第２の開閉部６２をオンにし、第５の開閉部６５をオフにする。また、ＰＶの発電量が設定値Ｙ１未満である場合、制御部６６は、第３の開閉部６３をオンにし、第５の開閉部６５をオフにする。これにより、第１の電圧線と中性線によりＡＣ１００Ｖの電力が第１の宅内負荷１０のみに供給される。
【００４８】
Ｓ３において、ＥＶ接続が有るとき（Ｓ３：Ｙ）、制御部６６は、第１の直流電源検出部２１および第２の直流電源検出部２２で検出された電源状態により、ＬｉＢ接続の有無またはＰＶ発電の有無を判定する（Ｓ９）。
【００４９】
ＬｉＢ接続無し、かつ、ＰＶ発電無しの場合（Ｓ９：Ｎ）、制御部６６は、ＥＶのＳＯＣが設定値Ｚ１以上であるか否かを判定する（Ｓ１０）。設定値Ｚ１は例えば７０％である。
【００５０】
ＥＶのＳＯＣが設定値Ｚ１以上の場合（Ｓ１０：Ｙ）、制御部６６は、第４の開閉部６４および第５の開閉部６５をオンにする。これにより第１の宅内負荷１０と第２の宅内負荷１１に電力が供給される（Ｓ１１）。
【００５１】
ＥＶのＳＯＣが設定値Ｚ１未満の場合（Ｓ１０：Ｎ）、制御部６６は、第４の開閉部６４をオンにし、第５の開閉部６５をオフにする。これにより、第１の電圧線と中性線によりＡＣ１００Ｖの電力が第１の宅内負荷１０のみに供給される（Ｓ１２）。
【００５２】
Ｓ９において、ＬｉＢ接続有り、またはＰＶ発電有りの場合（Ｓ９：Ｙ）、制御部６６は、ＬｉＢのＳＯＣとＥＶのＳＯＣから算出される電力量の総和が設定値Ｘ２以上であるか、またはＰＶの発電量が設定値Ｙ１以上であるかを判定する（Ｓ１３）。設定値Ｘ２は例えば５．０ｋＷｈである。
【００５３】
ＬｉＢのＳＯＣとＥＶのＳＯＣから算出される電力量の総和が設定値Ｘ２未満であり、またはＰＶの発電量が設定値Ｙ１未満である場合（Ｓ１３：Ｎ）、制御部６６は、第２の開閉部６２、第３の開閉部６３、第４の開閉部６４および第５の開閉部６５を制御し、第１の宅内負荷１０のみに電力供給を行う（Ｓ１４）。
【００５４】
具体的には、ＬｉＢのＳＯＣとＥＶのＳＯＣから算出される電力量の総和が設定値Ｘ２未満である場合、制御部６６は、第２の開閉部６２および第４の開閉部６４をオンにし、第５の開閉部６５をオフにする。また、ＰＶの発電量が設定値Ｙ１未満である場合、制御部６６は、第３の開閉部６３をオン、第５の開閉部６５をオフにする。これにより、第１の電圧線と中性線によりＡＣ１００Ｖの電力が第１の宅内負荷１０のみに供給される。
【００５５】
Ｓ１３において、ＬｉＢのＳＯＣとＥＶのＳＯＣから算出される電力量の総和が設定値Ｘ２以上であり、またはＰＶの発電量が設定値Ｙ１以上である場合（Ｓ１３：Ｙ）、制御部６６は、第２の開閉部６２、第３の開閉部６３、第４の開閉部６４および第５の開閉部６５を制御し、第１の宅内負荷１０および第２の宅内負荷１１に電力供給を行う（Ｓ１５）。
【００５６】
具体的には、ＬｉＢのＳＯＣとＥＶのＳＯＣから算出される電力量の総和が設定値Ｘ２以上である場合、制御部６６は、第２の開閉部６２、第４の開閉部６４および第５の開閉部６５をオンにする。ＰＶの発電量が設定値Ｙ１以上である場合、制御部６６は、第３の開閉部６３および第５の開閉部６５をオンにする。これにより、第１の電圧線と中性線によりＡＣ１００Ｖの電力が第１の宅内負荷１０に供給され、第２の電圧線と中性線によりＡＣ１００Ｖの電力が第２の宅内負荷１１に供給される。
【００５７】
以上のように実施の形態１の電力供給システム１００は、系統、ＬＩＢ、ＰＶおよびＥＶのそれぞれの電源状態に応じて、インバータ出力を第１の宅内負荷１０へ優先的に供給する構成である。また電力供給システム１００は、停電時において、第１の宅内負荷１０へ優先的に電力供給を行いながら、ＬＩＢ、ＰＶおよびＥＶのそれぞれから出力される直流電力の供給余剰がある場合には、第２の宅内負荷１１にも電力供給を行う。従って、停電時においてもユーザは不自由の無い生活を送ることができ、より快適に過ごすことができる。
【００５８】
実施の形態２．
実施の形態１は、ユーザが自ら、停電時も常時通電の必要な機器を第１の宅内負荷１０に接続し、停電時に電力が供給されなくても生活面で不足が生じない機器を第２の宅内負荷１１に接続する構成であった。実施の形態２は、停電時にも常時通電の必要な機器と、停電時に電力が供給されなくても生活面で不足が生じない機器とが、第１の宅内負荷１０と第２の宅内負荷１１のどちらに接続されているかを自動判別し、判別結果に応じて電力を宅内負荷に供給するように構成されている。
【００５９】
図３は本発明の実施の形態２に係る電力供給システムの構成図である。実施の形態２の電力供給システム１００−１は動作履歴判別部５を備える。動作履歴判別部５は、電力切替部６と２つの宅内負荷との間に配置される。
【００６０】
動作履歴判別部５は、第１の宅内負荷１０と第２の宅内負荷１１のそれぞれに流入する電流の履歴をロギングする。ロギング対象は、各宅内負荷への流入電流値および流入電流時間である。
【００６１】
「停電時も常時通電の必要な機器」が冷蔵庫、照明および調理機器である場合、冷蔵庫および照明は調理機器に比べて電流の流入時間が継続することが多い。一方、調理機器は、冷蔵庫および照明に比べて時間当たりの流入電流値が大きいことが多い。
【００６２】
動作履歴判別部５は、系統出力が有るときに、第１の宅内負荷１０と第２の宅内負荷１１のそれぞれに流入する電流の履歴をロギングする。動作履歴判別部５は、ロギング結果である流入電流値または流入電流時間またはその積分値が大きい機器が、第１の宅内負荷１０側と第２の宅内負荷１１側のどちらに多く接続されているかを判別する。
【００６３】
具体的には、動作履歴判別部５は、系統出力が有るときの一定日数分、例えば一週間分の電流履歴を、第１の宅内負荷１０と第２の宅内負荷１１のそれぞれについて取得する。
【００６４】
そして動作履歴判別部５は、取得した電流履歴より、第１の宅内負荷１０と第２の宅内負荷１１のそれぞれの一週間分の総積分量を比較する。総積分量は、一週間分の流入電流値の総和、または一週間分の流入電流時間の総和、またはこれら２つの総和の積分量である。動作履歴判別部５は、総積分量の多い宅内負荷を優先度の高い宅内負荷と判断する。
【００６５】
流入電流値または流入電流時間またはその積分値の大きい機器が第１の宅内負荷１０側に多く接続されていると判別した場合、動作履歴判別部５は、第１の宅内負荷１０側の機器を「停電時も常時通電の必要な機器」と定義し、第２の宅内負荷１１側の機器を「停電時には電力供給されなくても生活面で不足がない機器」と定義する。
【００６６】
このようにして動作履歴判別部５は、使用優先度の高い宅内負荷を特定する。使用優先度の高い宅内負荷を特定した動作履歴判別部５は、電力切替部６内の制御部６６に対して、以下の指示を実施する。なお非停電時は無条件に系統から第１の宅内負荷１０と第２の宅内負荷１１の両方に電力供給が行われるため、以下には停電時の制御のみ説明する。
【００６７】
（１）「第１の宅内負荷１０」が使用優先度の高い宅内負荷の場合。
動作履歴判別部５は、ＬｉＢ、ＰＶおよびＥＶから出力される電力が第１の宅内負荷１０側の機器に供給されるように電力切替部６を制御する。
（２）「第２の宅内負荷１１」が使用優先度の高い宅内負荷の場合。
動作履歴判別部５は、ＬｉＢ、ＰＶおよびＥＶから出力される電力が第２の宅内負荷１１側の機器に優先的に供給されるように電力切替部６を制御する。
【００６８】
なお、優先的に電力供給すべき機器が第１の宅内負荷１０と第２の宅内負荷１１に分散している場合、例えば冷蔵庫が第１の宅内負荷１０に接続され、調理機器が第２の宅内負荷１１に接続されている場合、動作履歴判別部５は、図示しない表示部に、機器接続を変えるように促す情報を送信し、表示部が当該情報を表示する構成としてもよい。これにより優先的に電力供給が必要な機器へ電力供給することができる。
【００６９】
また、第１の宅内負荷１０側には停電時も常時通電の必要な機器を接続し、第２の宅内負荷１１側には停電時には電力供給されなくても生活面で不足がない機器を接続するよう、表示部が部屋または領域を指定するといった接続変更を促すように構成してもよい。
【００７０】
以上のように、実施の形態２の電力供給システム１００−１は、動作履歴判別部５が使用優先度の高い宅内負荷を自動判別し、判別結果に応じて優先的な電力供給先を決定するようにしたので、ユーザによる機器接続の区分けを実施する必要が無く、手間なく使用優先度の高い宅内負荷へ優先的に電力供給することができ、使い勝手の良い電力供給システム１００−１を得ることができる。
【００７１】
実施の形態３．
実施の形態３の電力供給システムは、屋内に表示部を設け、第１の宅内負荷１０と第２の宅内負荷１１のそれぞれに供給可能な電力量を、屋内に設置された表示部に数値として表示する。
【００７２】
表示例としては、例えば停電時も常時通電の必要な機器が第１の宅内負荷１０側に接続されている場合、表示部には、第１の宅内負荷１０へ供給可能な電力量「２．５ｋＷｈ」が表示される。また停電時には電力供給されなくても生活面で不足がない機器が第２の宅内負荷１１側に接続されている場合、表示部には、第２の宅内負荷１１へ供給可能な電力量「０．５ｋＷｈ」が表示される。
【００７３】
実施の形態３の電力供給システムによれば、宅内負荷へ供給可能な電力量が屋内の表示部に表示されるため、停電時に使用可能な電力量のマージンをユーザが把握することができる。特に停電時には電力供給されなくても生活面で不足がない機器が第２の宅内負荷１１側に接続されている場合、当該機器に供給可能な電力量を知ることができるため、接続機器を増減する等が可能となり停電時の生活をより快適にすることができる。
【００７４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７５】
１  電源検出部、２  交流電源検出部、３  電力変換部、５  動作履歴判別部、６  電力切替部、７  整流部、８  制御電源生成部、９  制御負荷、１０  第１の宅内負荷、１１  第２の宅内負荷、２１  第１の直流電源検出部、２２  第２の直流電源検出部、２３  第３の直流電源検出部、３１  第１の電力変換部、３２  第２の電力変換部、３３  第３の電力変換部、６１  第１の開閉部、６２  第２の開閉部、６３  第３の開閉部、６４  第４の開閉部、６５  第５の開閉部、６６  制御部、１００，１００−１  電力供給システム、２００  系統電源、３００  直流電源、３０１  定置蓄電ユニット、３０２  太陽光パワーコンディショナ、３０３  バッテリ。
【図１】
0006419676.tif 000002
【図２】
0006419676.tif 000003
【図３】
0006419676.tif 000004